(57)【特許請求の範囲】
【請求項１】
受信信号を入力してＫ個（Ｋは２以上の整数）のパスに対するインパルスレスポンスを推定するインパルスレスポンス推定手段、
前記インパルスレスポンス推定手段の出力から電力が最大となるパスを選択するパス選択手段、
前記受信信号に対し、前記Ｋ個のパスにおける電力が最大となるパスについて逆拡散を行う逆拡散手段、
前記逆拡散手段の出力信号に対して同期検波を行うことにより、初期データを出力する初期データ出力手段、
干渉キャンセラ手段、および、
最終データ出力手段、を有し、
前記干渉キャンセラ手段は、前記初期データに基づいて、前記電力が最大となるパス以外のパスにおける逆拡散を行う以前の信号を生成するとともに、パイロットチャンネルの既知のデータに基づいて、電力が最大となるパス以外のパスにおける逆拡散を行う以前のパイロットチャンネルの信号を生成して干渉レプリカを生成し、前記受信信号から前記干渉レプリカを差し引いた信号に対し、前記電力が最大となるパスについて再び逆拡散を行った結果を逆拡散信号として出力し、
前記最終データ出力手段は、前記逆拡散手段と前記干渉キャンセラ手段から出力される逆拡散信号に基づいて最終データを出力することを特徴とするＤＳ−ＣＤＭＡシステムにおける信号受信装置。
【請求項２】
受信信号を入力してＫ個（Ｋは２以上の整数）のパスに対するインパルスレスポンスを推定するインパルスレスポンス推定手段、
前記インパルスレスポンス推定手段の出力から電力が最大となるパスを選択するパス選択手段、
前記受信信号に対し、前記Ｋ個のパスにおける電力が最大となるパスについて逆拡散を行う逆拡散手段、
前記逆拡散手段の出力信号に対して同期検波を行うことにより、初期データを出力する初期データ出力手段、
複数段の干渉キャンセラ手段、および、
最終データ出力手段、を有し、
第１段目の前記干渉キャンセラ手段は、前記初期データに基づいて、前記電力が最大となるパス以外のパスにおける逆拡散を行う以前の信号を生成するとともに、パイロットチャンネルの既知のデータに基づいて、電力が最大となるパス以外のパスにおける逆拡散を行う以前のパイロットチャンネルの信号を生成して干渉レプリカを生成し、
第２段目以降の前記干渉キャンセラ手段は、当該段の前段の前記干渉キャンセラ手段の出力データに基づいて、前記電力が最大となるパス以外のパスにおける逆拡散を行う以前の信号を生成するとともに、パイロットチャンネルの既知のデータに基づいて、電力が最大となるパス以外のパスにおける逆拡散を行う以前のパイロットチャンネルの信号を生成して干渉レプリカを生成し、
最終段を除く前記干渉キャンセラ手段は、前記受信信号から当該段の前記干渉レプリカを差し引いた信号に対し、前記電力が最大となるパスについて再び逆拡散を行った結果を逆拡散信号として出力するとともに、この逆拡散信号に対し、再び同期検波を行うことにより、データを出力し、
最終段の前記干渉キャンセラ手段は、前記受信信号から当該段の前記干渉レプリカを差し引いた信号に対し、前記電力が最大となるパスについて再び逆拡散を行った結果を逆拡散信号として出力し、
前記最終データ出力手段は、前記逆拡散手段と前記複数段の干渉キャンセラ手段から出力される逆拡散信号に基づいて最終データを出力することを特徴とするＤＳ−ＣＤＭＡシステムにおける信号受信装置。
【請求項３】
受信信号を入力して、Ｋ個（Ｋは２以上の整数）のパス全てについて逆拡散を行う逆拡散手段、
この逆拡散手段の出力信号に対して同期検波を行うことにより、初期データを出力する初期データ出力手段、
干渉キャンセラ手段、および、
最終データ出力手段、を有し、
前記干渉キャンセラ手段は、前記初期データに基づいて、前記Ｋ個のパスについて再び逆拡散を行った結果を逆拡散信号として出力し、
前記最終データ出力手段は、前記逆拡散手段と前記干渉キャンセラ手段から出力される逆拡散信号に基づいて最終データを出力することを特徴とするＤＳ−ＣＤＭＡシステムにおける信号受信装置。
【請求項４】
受信信号を入力して、Ｋ個（Ｋは２以上の整数）のパス全てについて逆拡散を行う逆拡散手段、
この逆拡散手段の出力信号に対して同期検波を行うことにより、初期データを出力する初期データ出力手段、
複数段の干渉キャンセラ手段、および、
最終データ出力手段、を有し、
第１段目の前記干渉キャンセラ手段は、前記初期データに基づいて、前記Ｋ個のパスについて再び逆拡散を行った結果を逆拡散信号として出力するとともに、この逆拡散信号に対し、再び同期検波を行うことにより、データを出力し、
最終段を除く第２段目以降の前記干渉キャンセラ手段は、当該段の前段の前記干渉キャンセラ手段の出力データに基づいて、前記Ｋ個のパスについて再び逆拡散を行った結果を逆拡散信号として出力するとともに、この逆拡散信号に対し、再び同期検波を行うことにより、データを出力し、
最終段の前記干渉キャンセラ手段は、当該段の前段の前記干渉キャンセラ手段の出力データに基づいて、前記Ｋ個のパスについて再び逆拡散を行った結果を逆拡散信号として出力し、
前記最終データ出力手段は、前記逆拡散手段と前記複数段の干渉キャンセラ手段から出力される逆拡散信号に基づいて最終データを出力することを特徴とするＤＳ−ＣＤＭＡシステムにおける信号受信装置。
【請求項５】
前記最終データ出力手段は、前記逆拡散手段と前記干渉キャンセラ手段から出力される逆拡散信号の信号を単純合成して、最終データを出力することを特徴とする請求項１または３に記載のＤＳ−ＣＤＭＡシステムにおける信号受信装置。
【請求項６】
前記最終データ出力手段は、前記逆拡散手段と前記複数段の干渉キャンセラ手段から出力される逆拡散信号の全ての信号を単純合成して、最終データを出力することを特徴とする請求項２または４に記載のＤＳ−ＣＤＭＡシステムにおける信号受信装置。
【請求項７】
前記最終データ出力手段は、前記逆拡散手段と前記複数段の干渉キャンセラ手段から出力される逆拡散信号のうち最大値を示す信号のみに基づいて、最終データを出力することを特徴とする請求項２または４に記載のＤＳＣＤＭＡシステムにおける信号受信装置。
【請求項８】
前記最終データ出力手段は、前記最終段の干渉キャンセラ手段から出力される逆拡散信号のみに基づいて、最終データを出力することを特徴とする請求項２または４に記載のＤＳＣＤＭＡシステムにおける信号受信装置。
【請求項９】
前記最終データ出力手段は、前記逆拡散手段と前記複数段の干渉キャンセラ手段から出力される逆拡散信号の全ての信号のうち、最大のものから順に重みを付けて合成し、この合成値に基づいて、最終データを出力することを特徴とする請求項２または４に記載のＤＳ−ＣＤＭＡシステムにおける信号受信装置。
【請求項１０】
前記最終データ出力手段は、前記逆拡散手段と前記複数段の干渉キャンセラ手段から出力される逆拡散信号の全ての信号のうち、最終段の前記干渉キャンセラ手段から出力される逆拡散信号から順に遡って重みを付けて合成し、この合成値に基づいて、最終データを出力することを特徴とする請求項２または４に記載のＤＳ−ＣＤＭＡシステムにおける信号受信装置。
【発明の詳細な説明】
【０００１】
【発明の属する技術分野】
本発明は、ＤＳ−ＣＤＭＡシステムにおける信号受信装置に関し、特に、マルチパスによる干渉によって受信性能の劣化を防止するものである。
【０００２】
【従来の技術】
ＤＳ−ＣＤＭＡ（Direct Sequence-Code Division Multiple Access ）システムとして、北米で標準化されたＣＤＭＡ方式セルラ電話システム（ＴＩＡ  ＩＳ９５）がある。このシステムでは、下り回線（下りリンク）においてパイロットチャンネルにパイロットシンボルを挿入して送信し、受信側でこのパイロットチャンネルの受信信号に基づいてキャリア位相を検出して同期検波を行っている。しかし、このシステムでは、伝送レートが高速になると、観測されるマルチパス数が増加し、受信側の受信性能が劣化するという欠点がある。
【０００３】
このような欠点を解決するものとして、例えば、第２９３０５８５号特許公報に記載のマルチユーザ・マルチステージ型の干渉キャンセラを備えた信号受信装置がある。図４は、この信号受信装置の概略構成を示すブロック図である。
【０００４】
この信号受信装置では、まず、インパルスレスポンスを推定し、このインパルスレスポンスを表す基本信号を固定して、Ｒａｋｅ部１０２で出力データＤＲを検出する。また、図示しない電力最大パス検出器が前記基準信号に基づき電力が最大となるパスＰを選択する。電力が最大となるパスＰは、干渉成分を含む割合が少なく、パスＰを除くパスについては主に干渉成分であると推定される。そこで、干渉キャンセラ１０４−１においては、Ｒａｋｅ部１０２から出力されたデータを初期データとして、電力が最大となるパスＰ以外のパスにおける、同期検波および逆拡散を行う以前の信号を生成するとともに、パイロットチャンネルの既知のデータに基づいて、電力が最大となるパスＰ以外のパスにおける、逆拡散を行う以前のパイロットチャンネルの信号を生成して干渉レプリカとし、受信信号からその干渉レプリカを差し引いて、電力が最大のパスＰについて再び逆拡散および同期検波を行うことによりデータを再び検証しなおし、干渉成分がキャンセルされたより確からしいデータＤＣ（１）を出力する。
【０００５】
第２段目以降の干渉キャンセラについては、前段の干渉キャンセラからの出力データが次の段の干渉キャンセラの入力データとなるとともに、パイロットチャンネルの既知のデータも入力される。何れの段の干渉キャンセラも、前記電力最大パス検出器から出力される同じパスＰを電力最大パスとして選択する。
【０００６】
ある段の干渉キャンセラの出力データは、この干渉キャンセラの入力データよりも確からしくなる。その次の段の干渉キャンセラは、前段の干渉キャンセラの出力データを入力してさらに確からしい干渉レプリカを生成する。このさらに確からしい干渉レプリカによって、その段における干渉キャンセラの出力データはさらに確からしいものとなる。したがって、干渉キャンセラをＭ段カスケード接続して、Ｍ段目の干渉キャンセラ１０４−Ｍの出力データＤＣ（Ｍ）を最終出力とすることにより、検出データの精度を向上させることができる。
【０００７】
【発明が解決しようとする課題】
このように、図４に示した従来の信号受信装置では、干渉キャンセラの段数が増えるにつれ、干渉レプリカを生成する精度が向上し、検出データの精度を向上させることができる。しかし、その反面で、各干渉キャンセラからの出力データの精度にばらつきがある。すなわち、各干渉キャンセラは同じ割合で干渉成分を除去してデータを出力することはできないため、最終段の干渉キャンセラから出力されるデータの精度は向上しているものの、まだ若干の干渉成分を含んでいることは否めない。
【０００８】
そこで、本発明は、上記のような従来技術の有する問題点に鑑みなされたものであり、その目的は、マルチパスの相互相関による干渉を高い割合で除去し、より一層受信性能が向上したＤＳ−ＣＤＭＡシステムにおける信号受信装置を提供することにある。
【０００９】
【課題を解決するための手段】
上記目的を達成するため、本発明のＤＳ−ＣＤＭＡシステムにおける信号受信装置は、受信信号を入力してＫ個（Ｋは２以上の整数）のパスに対するインパルスレスポンスを推定するインパルスレスポンス推定手段、前記インパルスレスポンス推定手段の出力から電力が最大となるパスを選択するパス選択手段、前記受信信号に対し、前記Ｋ個のパスにおける少なくとも自局のユーザチャンネルについて逆拡散を行う逆拡散手段、前記逆拡散手段の出力信号に対して同期検波を行うことにより、少なくとも前記自局のユーザチャンネルの初期データを出力する初期データ出力手段、前記初期データに基づいて、前記電力が最大となるパスを少なくとも除いたパスにおける、前記同期検波および前記逆拡散を行う以前の信号を生成することにより、前記電力が最大となるパスを少なくとも除いたパスにおける、少なくとも前記自局のユーザチャンネルの前記受信信号を仮想的に生成する干渉レプリカ生成手段、データ出力手段、および、最終データ出力手段を有するＤＳ−ＣＤＭＡシステムにおける信号受信装置であって、前記データ出力手段は、前記受信信号から前記干渉レプリカ生成手段の出力信号を差し引いた信号に対し、前記電力が最大となるパスにおける少なくとも前記自局のユーザチャンネルについて再び前記逆拡散を行った結果を逆拡散信号として出力し、前記最終データ出力手段は、前記逆拡散手段の出力信号と前記データ出力手段の逆拡散信号とを合成し少なくとも前記自局のユーザチャンネルの最終データを出力する。
【００１０】
そして、特に、前記受信信号は、複数のユーザチャンネルを備え、前記逆拡散手段は、前記受信信号に対し、前記Ｋ個のパスにおける前記複数のユーザチャンネルについて逆拡散し、前記初期データ出力手段は、前記複数のユーザチャンネルの初期データを出力し、前記干渉レプリカ生成手段は、前記電力が最大となるパスを少なくとも除いたパスにおける前記複数のユーザチャンネルの前記受信信号を仮想的に生成し、前記データ出力手段は、前記電力が最大となるパスにおける前記複数のユーザチャンネルについて再び前記逆拡散を行った結果を逆拡散信号として出力する。
【００１１】
また、本発明のＤＳ−ＣＤＭＡシステムにおける信号受信装置は、受信信号を入力してＫ個（Ｋは２以上の整数）のパスに対するインパルスレスポンスを推定するインパルスレスポンス推定手段、前記インパルスレスポンス推定手段の出力から電力が最大となるパスを選択するパス選択手段、前記受信信号に対し、前記Ｋ個のパスにおける少なくとも自局のユーザチャンネルについて逆拡散を行う逆拡散手段、前記逆拡散手段の出力信号に対して同期検波を行うことにより、少なくとも前記自局のユーザチャンネルの初期データを出力する初期データ出力手段、複数段の干渉レプリカ生成手段、複数段のデータ出力手段、および、最終データ出力手段を有するＤＳ−ＣＤＭＡシステムにおける信号受信装置であって、第１段目の前記干渉レプリカ生成手段は、前記初期データに基づいて、前記電力が最大となるパスを少なくとも除いたパスにおける、前記同期検波および前記逆拡散を行う以前の信号を生成することにより、前記電力が最大となるパスを少なくとも除いたパスにおける、少なくとも前記自局のユーザチャンネルの前記受信信号を仮想的に生成し、第２段目以降の前記干渉レプリカ生成手段は、当該段の前段の前記データ出力手段の出力データに基づいて、前記電力が最大となるパスを少なくとも除いたパスにおける、前記同期検波および前記逆拡散を行う以前の信号を生成することにより前記電力が最大となるパスを少なくとも除いたパスにおける、少なくとも前記自局のユーザチャンネルの前記受信信号を仮想的に生成し、最終段を除く前記データ出力手段は、前記受信信号から当該段の前記干渉レプリカ生成手段の出力信号を差し引いた信号に対し、前記電力が最大となるパスにおける少なくとも前記自局のユーザチャンネルについて再び逆拡散を行ってこの結果を逆拡散信号として出力するとともに、この逆拡散信号に対し、少なくとも前記自局のユーザチャンネルについて再び前記同期検波を行うことにより、少なくとも前記自局のユーザチャンネルのデータを出力し、最終段の前記データ出力手段は、前記受信信号から当該段の前記干渉レプリカ生成手段の出力信号を差し引いた信号に対し、前記電力が最大となるパスにおける少なくとも前記自局ユーザチャンネルについて再び逆拡散を行ってこの結果を逆拡散信号として出力し、前記最終データ出力手段は、前記逆拡散手段の出力信号と前記複数段のデータ出力手段の逆拡散信号とを合成し少なくとも前記自局のユーザチャンネルの最終データを出力する。
【００１２】
そして、特に、前記受信信号は、複数のユーザチャンネルを備え、前記逆拡散手段は、前記受信信号に対し、前記Ｋ個のパスにおける前記複数のユーザチャンネルについて逆拡散し、前記初期データ出力手段は、前記複数のユーザチャンネルの初期データを出力し、前記複数段の干渉レプリカ生成手段は、前記電力が最大となるパスを少なくとも除いたパスにおける前記複数のユーザチャンネルの前記受信信号を仮想的に生成し、最終段を除く前記データ出力手段は、前記電力が最大となるパスにおける前記複数のユーザチャンネルについて再び逆拡散を行ってこの結果を逆拡散信号として出力するとともに、この逆拡散信号に対し、前記複数のユーザチャンネルについて前記同期検波を行うことにより、前記複数のユーザチャンネルのデータを出力し、最終段の前記データ出力手段は、前記電力が最大となるパスにおける前記複数のユーザチャンネルについて再び逆拡散を行ってこの結果を逆拡散信号として出力する。
【００１３】
本発明のＤＳ−ＣＤＭＡシステムにおける信号受信装置では、前記インパルスレスポンス生成手段は、前記逆拡散手段が出力する、前記Ｋ個のパスにおける前記複数のユーザチャンネルについて逆拡散された信号の位相情報に基づいて、前記Ｋ個のパスにおけるインパルスレスポンスの位相を補正している。
【００１４】
また、本発明のＤＳ−ＣＤＭＡシステムにおける信号受信装置は、受信信号を入力して、Ｋ個（Ｋは２以上の整数）のパスに対し、少なくとも自局のユーザチャンネルについて逆拡散を行う逆拡散手段、この逆拡散手段の出力信号に対して同期検波を行うことにより、少なくとも前記自局のユーザチャンネルの初期データを出力する初期データ出力手段、干渉レプリカ生成手段、データ出力手段、および、最終データ出力手段を有するＤＳ−ＣＤＭＡシステムにおける信号受信装置であって、前記干渉レプリカ生成手段は、前記初期データに基づいて、前記Ｋ個のパスにおける、前記同期検波および前記逆拡散を行う以前の信号を生成することにより、前記Ｋ個のパスにおける、少なくとも前記自局のユーザチャンネルの前記受信信号を仮想的に生成し、前記データ出力手段は、前記受信信号から前記干渉レプリカ生成手段の出力信号を差し引いた信号に対し、前記Ｋ個のパスにおける少なくとも前記自局のユーザチャンネルについて再び前記逆拡散を行った結果を逆拡散信号として出力し、前記最終データ出力手段は、前記逆拡散手段の出力信号と前記データ出力手段の逆拡散信号とを合成し少なくとも前記自局のユーザチャンネルの最終データを出力する。
【００１５】
そして、特に、前記受信信号は、複数のユーザチャンネルを備え、前記逆拡散手段は、前記受信信号に対し、前記Ｋ個のパスにおける前記複数のユーザチャンネルについて逆拡散し、前記初期データ出力手段は、前記複数のユーザチャンネルの初期データを出力し、前記干渉レプリカ生成手段は、前記Ｋ個のパスにおける前記複数のユーザチャンネルの前記受信信号を仮想的に生成し、前記データ出力手段は、前記Ｋ個のパスにおける前記複数のユーザチャンネルについて再び前記逆拡散を行った結果を逆拡散信号として出力する。
【００１６】
また、本発明のＤＳ−ＣＤＭＡシステムにおける信号受信装置は、受信信号を入力して、Ｋ個（Ｋは２以上の整数）のパスに対し、少なくとも自局のユーザチャンネルについて逆拡散を行う逆拡散手段、この逆拡散手段の出力信号に対して同期検波を行うことにより、少なくとも前記自局のユーザチャンネルの初期データを出力する初期データ出力手段、複数段の干渉レプリカ生成手段、複数段のデータ出力手段、および、最終データ出力手段を有するＤＳ−ＣＤＭＡシステムにおける信号受信装置であって、第１段目の前記干渉レプリカ生成手段は、前記初期データに基づいて、前記Ｋ個のパスにおける、前記同期検波および前記逆拡散を行う以前の信号を生成することにより、前記Ｋ個のパスにおける、少なくとも前記自局ユーザチャンネルの前記受信信号を仮想的に生成し、第２段目以降の前記干渉レプリカ生成手段は、当該段の前段の前記データ出力手段の出力データに基づいて、前記Ｋ個のパスにおける、前記同期検波および前記逆拡散を行う以前の信号を生成することにより前記Ｋ個のパスにおける、少なくとも前記自局のユーザチャンネルの前記受信信号を仮想的に生成し、最終段を除く前記データ出力手段は、前記受信信号から当該段の前記干渉レプリカ生成手段の出力信号を差し引いた信号に対し、前記Ｋ個パスにおける少なくとも前記自局ユーザチャンネルについて再び逆拡散を行ってこの結果を逆拡散信号として出力するとともに、この逆拡散信号に対し、少なくとも前記自局のユーザチャンネルについて再び前記同期検波を行うことにより、少なくとも前記自局のユーザチャンネルのデータを出力し、最終段の前記データ出力手段は、前記受信信号から当該段の前記干渉レプリカ生成手段の出力信号を差し引いた信号に対し、前記Ｋ個のパスにおける少なくとも前記自局ユーザチャンネルについて再び逆拡散を行ってこの結果を逆拡散信号として出力し、前記最終データ出力手段は、前記逆拡散手段の出力信号と前記複数段のデータ出力手段の逆拡散信号とを合成し少なくとも前記自局のユーザチャンネルの最終データを出力する。
【００１７】
そして、特に、前記受信信号は、複数のユーザチャンネルを備え、前記逆拡散手段は、前記受信信号に対し、前記Ｋ個のパスにおける前記複数のユーザチャンネルについて逆拡散し、前記初期データ出力手段は、前記複数のユーザチャンネルの初期データを出力し、前記複数段の干渉レプリカ生成手段は、前記Ｋ個のパスにおける前記複数のユーザチャンネルの前記受信信号を仮想的に生成し、最終段を除く前記データ出力手段は、前記Ｋ個のパスにおける前記複数のユーザチャンネルについて再び逆拡散を行ってこの結果を逆拡散信号として出力するとともに、この逆拡散信号に対し、前記複数のユーザチャンネルについて前記同期検波を行うことにより、前記複数のユーザチャンネルのデータを出力し、最終段の前記データ出力手段は、前記Ｋ個のパスにおける前記複数のユーザチャンネルについて再び逆拡散を行ってこの結果を逆拡散信号として出力する。
【００１８】
本発明のＤＳ−ＣＤＭＡシステムにおける信号受信装置では、前記初期データ出力手段は、Ｒａｋｅ合成を行う。
【００１９】
さらに、本発明のＤＳ−ＣＤＭＡシステムにおける信号受信装置では、前記最終データ出力手段は、前記逆拡散手段の出力信号および前記複数段のデータ出力手段の逆拡散信号のうち最大値を示す信号のみに基づいて前記自局のユーザチャンネルの最終データを出力している。
【００２０】
また、前記最終データ出力手段は、前記逆拡散手段の出力信号および前記複数段のデータ出力手段の逆拡散信号の全ての信号を単純合成して、前記自局のユーザチャンネルの最終データを出力するようにしてもよい。
【００２１】
また、前記最終データ出力手段は、前記最終段のデータ出力手段の逆拡散信号のみに基づいて、前記自局のユーザチャンネルの最終データを出力することもできる。
【００２２】
また、前記最終データ出力手段は、前記逆拡散手段の出力信号および前記複数段のデータ出力手段の逆拡散信号の全ての信号のうち、最大のものから順に重みを付けて合成し、この合成値に基づいて前記自局のユーザチャンネルの最終データを出力することもできる。
【００２３】
また、前記最終データ出力手段は、前記逆拡散手段の出力信号および前記複数段のデータ出力手段の逆拡散信号の全ての信号のうち、最終段の前記データ出力手段の逆拡散信号から順に遡って重みを付けて合成し、この合成値に基づいて前記自局のユーザチャンネルの最終データを出力することもできる。
【００２４】
【発明の実施の形態】
以下、図示した一実施形態に基いて本発明を詳細に説明する。
【００２５】
[実施の形態１]
図１は、本発明の実施の形態１にかかるＤＳ−ＣＤＭＡシステムにおける信号受信装置の概略構成を示すブロック図である。この信号受信装置は、従来装置（第２９３０５８５号公報に記載の装置）の基本的な構成を維持しつつも、より受信性能を向上させることを目的とするものである。以下、従来装置を構成する各手段と同一のものには同一の符号を付して説明する。
【００２６】
本実施の形態の信号受信装置は、Ｒａｋｅ１０２にベースバンド受信信号が入力すると、Ｋ個（Ｋは２以上の整数）のパスに対するインパルスレスポンスを推定し、このインパルスレスポンスを表す基準信号を固定する。そして、この基準信号に基づいて、図示しない電力最大パス検出器が電力が最大となるパスＰを選択する。電力が最大となるパスＰは、干渉成分を含む割合が少なく、パスＰを除くパスについては主に干渉成分であると推定される。そこで、Ｒａｋｅ１０２では、このパスＰについて逆拡散を行い、この結果を逆拡散信号として最終データ出力手段１０６へ出力する。一方、前記逆拡散信号に対して同期検波を行い、この結果をデータＤＲ（１）として第１段目の干渉キャンセラ１０４−１へ出力する。
【００２７】
干渉キャンセラ１０４−１においては、Ｒａｋｅ部１０２から出力されたデータを初期データとして、電力が最大となるパスＰ以外のパスにおける、同期検波および逆拡散を行う以前の信号を生成するとともに、パイロットチャンネルの既知のデータに基づいて、電力が最大となるパスＰ以外のパスにおける、逆拡散を行う以前のパイロットチャンネルの信号を生成して干渉レプリカとし、受信信号からその干渉レプリカを差し引いて、電力が最大のパスＰについて再び逆拡散および同期検波を行う。そして、前記逆拡散によって得られた逆拡散信号は最終データ出力手段１０６へ、また、干渉成分がキャンセルされたより確からしいデータＤＣ（１）は第２段目の干渉キャンセラへ出力する。
【００２８】
第２段目以降の干渉キャンセラについては、前段の干渉キャンセラからの出力データが次の段の干渉キャンセラの入力データとなるとともに、パイロットチャンネルの既知のデータも入力される。何れの段の干渉キャンセラも、前記電力最大パス検出器から出力される同じパスＰを電力最大パスとして選択する。そして、第２段目以降の干渉キャンセラも第１段目の干渉キャンセラ１０４−１と同様に逆拡散信号は最終データ生成手段へ、また、干渉成分がキャンセルされたデータは次の段の干渉キャンセラへ出力する。ただし、最終段の干渉キャンセラ１０４−Ｍでは、干渉成分がキャンセルされたデータの出力は行わない。
【００２９】
最終データ出力手段１０６では、Ｒａｋｅ部１０２および第１段目の干渉キャンセラ１０４−１ないし第Ｍ段目の干渉キャンセラ１０４−ＭからパスＰに基づき逆拡散を行うことにより生成された逆拡散信号が集められ、それらの全ての信号を合成し（最大比合成）、最終データを出力する。
【００３０】
ここで、前述したように電力が最大となるパスＰが最も干渉成分を含む割合が少ないのと同様、電力が最大となる逆拡散信号が最も干渉成分を含む割合が小さいと考えられる。そこで、最大比合成を行う場合、電力が最大となる逆拡散信号に最大の重みを付け、電力が小さくなるに従ってその重みを小さくしていき、それらを全て合成する方式を採用することが好ましい。また、全ての逆拡散信号を単純に合成する方式でもよいし、電力が最大となる逆拡散信号のみに基づいて最終データを生成してもよい。
【００３１】
また、後段の干渉キャンセラほど干渉成分が除去された逆拡散信号を出力する可能性が高くなる理由から、最終段である第Ｍ段目の干渉キャンセラ１０４−Ｍの逆拡散信号に最大の重みを付け、その前段の干渉キャンセラへ行くほどその重みを小さくしていき、それらを全て合成することにより、最終データを生成してもよい。また、最終段である第Ｍ段目の干渉キャンセラ１０４−Ｍの逆拡散信号のみに基づいて最終データを生成することも可能である。
【００３２】
本実施の形態にかかるＤＳ−ＣＤＭＡシステムにおける信号受信装置は、以上のように構成されているので、マルチパスの相互相関による干渉を従来装置よりも高い割合で除去し、受信性能を格段に向上させることができる。
【００３３】
[実施の形態２]
図２は、本発明の実施の形態２にかかるＤＳ−ＣＤＭＡシステムにおける信号受信装置の概略構成を示す図である。本実施の形態の信号受信装置では、実施の形態１の装置とは異なり、Ｋ個（Ｋは２以上の整数）のパスのうち電力が最大となるパスＰのみを用いるのではなく、Ｋ個のパス全てを用いて最終データを生成する。したがって、実施の形態１の装置が有する、電力が最大となるパスＰを選択する電力最大パス検出器は不要となる。
【００３４】
本実施の形態の信号受信装置は、図示しないＲａｋｅ部、パス１の干渉キャンセラ２０２−１ないしパスＫの干渉キャンセラ２０２−Ｋからなる干渉キャンセラ２０２、および最終データ出力手段２０４により構成されており、実施の形態１に示したような各干渉キャンセラをカスケード接続する構成は採用していない。
【００３５】
本実施の形態にかかる信号受信装置では、Ｒａｋｅ部においてＫ個のパス全てについて逆拡散を行ってこの結果を逆拡散信号として最終データ出力手段２０４へ出力するとともに、前記逆拡散信号に対して同期検波を行ってこの結果をデータＤＲ（２）として干渉キャンセラ２０２へ出力する。干渉キャンセラ２０２では、データＤＲ（２）を各パスに対応したキャンセラ２０２−１ないし２０２−Ｋに振り分けて、各パスごとに対応した干渉キャンセラにおいてそれぞれ逆拡散を行ってこの結果を逆拡散信号として最終データ出力手段２０４へ出力する。最終データ出力手段２０４では、前記Ｒａｋｅ部からの逆拡散信号と干渉キャンセラ２０２−１ないし２００−Ｋからの逆拡散信号に基づき、実施の形態１において示した方法と同様の方法で最終データを生成する。
【００３６】
以上のように、本実施の形態では、Ｋ個のパスを全て用いて最終データを生成しているので、実施の形態１の装置よりもさらに受信性能を向上させることが可能になる。
【００３７】
[実施の形態３]
図３は、本発明の実施の形態３にかかるＤＳ−ＣＤＭＡシステムにおける信号受信装置に用いられる干渉キャンセラの内部構成を示す図である。本実施の形態の信号受信装置では、実施の形態１の装置とは異なり、Ｋ個（Ｋは２以上の整数）のパスのうち電力が最大となるパスＰのみを用いるのではなく、Ｋ個のパス全てを用いて最終データを生成する。したがって、実施の形態１の装置が有する、電力が最大となるパスＰを選択する電力最大パス検出器は不要となる。
【００３８】
本実施の形態にかかる信号受信装置では、Ｒａｋｅ部においてＫ個のパス全てについて逆拡散を行ってこの結果を逆拡散信号として最終データ出力手段へ出力するとともに、前記逆拡散信号に対して同期検波を行ってこの結果をデータＤＲ（３）として干渉キャンセラ３０２へ出力する。干渉キャンセラ３０２では、データＤＲ（３）を各パスに対応したキャンセラ３０２−１ないし３０２−Ｋに振り分けて、各パスごとに対応した干渉キャンセラにおいてそれぞれ逆拡散を行ってこの結果を逆拡散信号として最終データ出力手段へ出力する。同時に、前記各パスの逆拡散信号に対して同期検波を行い、この結果を後段の干渉キャンセラへ出力する。
【００３９】
以上のように、本実施の形態では、Ｋ個のパスを全て用いて最終データを生成しているので、実施の形態１の装置よりもさらに受信性能を向上させることが可能になる。
【００４０】
以上、本発明の一実施形態を図面に沿って説明した。しかしながら本発明は前記実施形態に示した事項に限定されず、特許請求の範囲の記載に基づいてその変更、改良等が可能であることは明らかである。例えば、前記各実施の形態では、干渉キャンセラがカスケード接続されているが、あまり高精度の受信性能が必要とされない場合には、Ｒａｋｅ部に対し１つの干渉キャンセラのみを接続した構成を採用することも可能である。
【００４１】
【発明の効果】
以上の如く本発明によれば、マルチパスの相互相関による干渉を高い割合で除去し、ＤＳ−ＣＤＭＡシステムにおける信号受信装置の受信性能を格段に向上させることができる。
【図面の簡単な説明】
【図１】実施の形態１にかかるＤＳ−ＣＤＭＡシステムにおける信号受信装置の概略構成を示すブロック図である。
【図２】実施の形態２にかかるＤＳ−ＣＤＭＡシステムにおける信号受信装置に用いられる干渉キャンセラの内部構成を示す図である。
【図３】実施の形態３にかかるＤＳ−ＣＤＭＡシステムにおける信号受信装置に用いられる干渉キャンセラの内部構成を示す図である。
【図４】従来のＤＳ−ＣＤＭＡシステムにおける信号受信装置の概略構成を示すブロック図である。
【符号の説明】
１０２  Ｒａｋｅ部
１０４−１、１０４−Ｍ、２０２  干渉キャンセラ
１０６  最終データ出力手段
２０２−１  パス１の干渉キャンセラ
２０２−Ｋ  パスＫの干渉キャンセラ
２０４  最終データ出力手段
３０２−１  パス１の干渉キャンセラ
３０２−Ｋ  パスＫの干渉キャンセラ
【図１】
0004205868.tif 000002
【図２】
0004205868.tif 000003
【図３】
0004205868.tif 000004
【図４】
0004205868.tif 000005